(57)【要約】【課題】製造コストの低減化を図り、板タンブラの部品点数を削減するシリンダー錠を提供する。【解決手段】ローター６と、ローターの軸Ｐ１に沿って形成したキー差込み孔７と、ローターケース５と、キーコード面３ａ，３ｂの長さ方向Ｌ１に複数の解錠凹部４０、４１が形成されてキー差込み孔に差込むディンプルキー３と、ローターに収納されて解錠凹部、或いはキーコード面に係合する解錠凸部４５，５０，５２〜５５或いは解錠平坦部４６，５１を形成したタンブラ１０〜１３と、ローターに収納されタンブラに交差してキー差込み孔側に移動してローターケースとの係合を解除してローターを回動可能とするサイドバー１８，１９とを備えている。タンブラは、板長さ方向が軸に沿い、板端部に複数の解錠凸部、或いは解錠平坦部が板長さ方向に沿って形成されている板状タンブラである。【選択図】図５
2019011562.tif 000002
【特許請求の範囲】
【請求項１】
ローターと、
前記ローターの軸に沿って形成したキー差込み孔と、
前記ローターを回動自在に収納するローターケースと、
キーコード面の長さ方向に複数の解錠凹部が形成されて前記キー差込み孔に差込むディンプルキーと、
前記ローターに収納され、前記キー差込み孔側に移動することで前記解錠凹部、或いは前記キーコード面に係合する解錠凸部、或いは解錠平坦部が形成されているタンブラと、
前記ローターに収納され、前記タンブラに交差して前記キー差込み孔側に移動することで、前記ローターケースとの係合を解除して前記ローターを回動可能とするサイドバーと、を備え、
前記タンブラは、板長さ方向が前記軸に沿うように前記ローターに収納され、前記キー差込み孔側の板端部に、複数の前記解錠凸部、或いは前記解錠平坦部が板長さ方向に沿って形成されている板状タンブラであるシリンダー錠。
【請求項２】
前記板状タンブラは、前記キーコード面に形成されている前記複数の解錠凹部に係合する前記複数の解錠凸部の全てが前記板端部に形成されている単一の板状タンブラである請求項１記載のシリンダー錠。
【請求項３】
前記ディンプルキーは、前記キーコード面の表面及び裏面に前記複数の解錠凹部が形成されているリバーシブル仕様であり、
前記ローターの前記キー差込み孔に直交する方向に２組の前記板状タンブラが収納されている請求項１又は２記載のシリンダー錠。
【請求項４】
前記板状タンブラを前記キー差込み孔側に押圧するバネ力を付与するバネ部材と、
前記バネ部材をローター内部で保持するバネ保持部材と、を備えている請求項１から３の何れか１項に記載のシリンダー錠。
【請求項５】
前記サイドバーは、
前記ローターケースの内周面に形成した係合凹部に入り込む係合凸部と、前記板状タンブラに形成した被通過部に通過可能な通過部と、を備え、
前記サイドバーが前記キー差込み孔側に移動して前記通過部が前記被通過部を通過することで、前記係合凸部が前記係合凹部から出て前記ローターケース及び前記サイドバーの係合が解除される請求項１から４の何れか１項に記載のシリンダー錠。
【発明の詳細な説明】
【技術分野】
【０００１】
本発明は、ディンプルキーを使用したシリンダー錠に関する。
【背景技術】
【０００２】
シリンダー錠には、キー表面に解錠用の凹部（解錠凹部）が形成されたディンプルキーによって解錠される構成のものがある。
このシリンダー錠を構成するローターには、ディンプルキーの解錠凹部に係合可能なタンブラが収容されている。
例えば特許文献１のシリンダー錠は、ディンプルキーがローターに差込まれていない状態では、ローターに収納されているピン形状のタンブラがバネの付勢力によってローターの周面より外側に押し出されてローターケースに係合し、ローターが回動不能になる。また、ディンプルキーが正しい向きでローターに差込まれた状態では、タンブラが、ディンプルキーの解錠凹部と係合してローターの周面より内側に引っ込み、ローターが回動可能になる。一方、ディンプルキーが異なる向きでローターに差し込まれた場合には、タンブラがローターの外側に押し出されてローターケースに係合するので、ローターが回動不能になる。
【０００３】
ところで、特許文献１のシリンダー錠は、切削加工で形成されたピン形状のタンブラを使用しているので、製造コストの面で問題がある。
ピン形状のタンブラに替えて板状のタンブラを使用するシリンダー錠がある（例えば、特許文献２）。
特許文献２のシリンダー錠は、プレス加工で所定形状に形成した板状のタンブラを使用することで、切削加工によるピン形状のタンブラと比較して製造コストを抑えることができる。
【先行技術文献】
【特許文献】
【０００４】
【特許文献１】特開２０１６−４４４３８号公報
【特許文献２】特開２００３−２１３９９１号公報
【発明の概要】
【発明が解決しようとする課題】
【０００５】
ところで、特許文献２の板状のタンブラは、ディンプルキーの差込み方向に直交する方向を向いてローターに収納されている。この板状のタンブラは、板中央部にディンプルキーが通過する通過孔を形成し、この通過孔の内面に、ディンプルキーの解錠凹部に係合する解錠凸部を形成した複雑な形状なので、製造コストがさほど低下しない。
また、特許文献２の板状のタンブラは、２分割形状の板材で構成されているので部品点数が多くなるとともに、組み立てに手間がかかる。
そこで、本発明は、単純な形状の板タンブラとすることで製造コストの低減化を図るとともに、板タンブラの部品点数を削減することができるシリンダー錠を提供することを目的としている。
【課題を解決するための手段】
【０００６】
上記目的を達成するために、本発明の一態様に係るシリンダー錠は、ローターと、ローターの軸に沿って形成したキー差込み孔と、ローターを回動自在に収納するローターケースと、キーコード面の長さ方向に複数の解錠凹部が形成されてキー差込み孔に差込むディンプルキーとを備えている。また、ローターには、キー差込み孔側に移動することで解錠凹部、或いはキーコード面に係合する解錠凸部、或いは解錠平坦部が形成されているタンブラと、タンブラに交差してキー差込み孔側に移動することで、ローターケースとの係合を解除してローターを回動可能とするサイドバーとが収納されている。タンブラは、板長さ方向が軸に沿うようにローターに収納され、キー差込み孔側の板端部に、複数の解錠凸部、或いは解錠平坦部が板長さ方向に沿って形成されている板状タンブラである。
【発明の効果】
【０００７】
本発明に係るシリンダー錠は、単純な形状の板タンブラとすることで製造コストの低減化を図るとともに、板タンブラの部品点数を削減することができる。
【図面の簡単な説明】
【０００８】
【図１】本発明に係る第１実施形態のシリンダー錠を示す斜視図である。
【図２】本発明に係る第１実施形態のシリンダー錠を示す分解斜視図である。
【図３】本発明に係る第１実施形態をディンプルキー側から示した図である。
【図４】図３の第２軸直交方向Ｘ２に沿う断面図である。
【図５】図３の第１軸直交方向Ｘ１に沿う断面図である。
【図６】図５のＡ−Ａ線矢視図である。
【図７】ディンプルキーの第１面（図７（ａ））、第２面（図７（ｂ））を示す図である。
【図８】本発明に係る第２実施形態のシリンダー錠を示す斜視図である。
【図９】本発明に係る第２実施形態の第２軸直交方向Ｘ２に沿う断面図である。
【図１０】図９のＢ−Ｂ線矢視図である。
【発明を実施するための形態】
【０００９】
次に、図面を参照して、本発明の第１及び第２の実施形態を説明する。以下の図面の記載において、同一又は類似の部分には同一又は類似の符号を付している。ただし、図面は模式的なものであり、厚みと平面寸法との関係、各層の厚みの比率等は現実のものとは異なることに留意すべきである。したがって、具体的な厚みや寸法は以下の説明を参酌して判断すべきものである。また、図面相互間においても互いの寸法の関係や比率が異なる部分が含まれていることはもちろんである。
【００１０】
また、以下に示す第１及び第２の実施形態は、本発明の技術的思想を具体化するための装置や方法を例示するものであって、本発明の技術的思想は、構成部品の材質、形状、構造、配置等を下記のものに特定するものでない。本発明の技術的思想は、特許請求の範囲に記載された請求項が規定する技術的範囲内において、種々の変更を加えることができる。
以下、本発明を実施するための形態（以下、実施形態という。）を、図面を参照しながら詳細に説明する。なお、以下の説明で記載されている「上」、「下」、「底」、「前」、「後」等の方向を示す用語は、添付図面の方向を参照して用いられている。
【００１１】
［第１実施形態のシリンダー錠］
図１は、リバーシブル仕様の第１実施形態のシリンダー錠１を示すものである。
シリンダー錠１は、シリンダー本体２及びディンプルキー３を備えており、シリンダー本体２には、接点ユニット(図示しない)に接続するユニット接続部４が連結されている。
シリンダー本体２は、ローターケース５と、ローターケース５内に回動自在に収納されたローター６とを備えている。
【００１２】
ローターケース５は中空円筒形状の部材であり、図２に示すように、その内周面に後述する第１サイドバー１８及び第２サイドバー１９の係合凸条１８ａ，１９ａが入り込むことが可能な第１〜第４係合溝条５ａ〜５ｄが形成されている。
ローター６は、図２に示すように、円柱形状の部材であり、ローター６の軸方向（軸Ｐ１方向）の一端面６ａに長方形状で開口しているキー差込み孔７が形成されている（図３参照）。キー差込み孔７は、ディンプルキー３を差し込むために軸Ｐ１方向に延在して形成されている。
【００１３】
ここで、図２に示すように、軸Ｐ１方向に直交してキー差込み孔７の幅方向に延在する方向を第１軸直交方向Ｘ１と称し、第１軸直交方向Ｘ１に直交してキー差込み孔の長尺方向に延在する方向を第２軸直交方向Ｘ２と称する。
ローター６には、図２に示すように、第１〜第４板タンブラ１０〜１３と、４個のタンブラ用圧縮バネ１５と、４個のバネ保持部材１６と、前述した第１サイドバー１８及び第２サイドバー１９と、２個のサイドバー用圧縮バネ２０とを収納してローターケース５の内部に装着される。
ここで、上記部材が収納されたローター６を内部に装着したローターケース５は、その内周面に形成された第２係合溝条５ｂが第２軸直交方向Ｘ２に沿って配置されている。
【００１４】
図２及び図５に示すように、ローター６の第１軸直交方向Ｘ１の一方の外周側には、キー差込み孔７に連通する第１タンブラ収納室２１及び第２タンブラ収納室２２が軸Ｐ１方向に沿って形成されている。また、図５に示すように、ローター６の第１軸直交方向Ｘ１の他方の外周側に、キー差込み孔７に連通する第３タンブラ収納室２３及び第４タンブラ収納室２４が軸Ｐ１方向に沿って形成されている。
図２及び図４に示すように、ローター６の第２軸直交方向Ｘ２の一方の外周側には、第１タンブラ収納室２１及び第３タンブラ収納室２３に連通する第１サイドバー収納室２６と、第２タンブラ収納室２２及び第４タンブラ収納室２４に連通する第２サイドバー収納室２７が軸Ｐ１方向に沿って形成されている。
【００１５】
第１サイドバー収納室２６には第１サイドバー１８が収納され、第２サイドバー収納室２７には第２サイドバー１９が収納されている。
第１サイドバー１８は、図２に示すように、一対の脚部１８ｂ，１８ｃと、これら一対の脚部１８ｂ，１８ｃの上端部を連結する連結部１８ｄと、を備えたコ字形状の部材であり、連結部１８ｄの外側に、前述した係合凸条１８ａが形成されている。
第１サイドバー収納室２６は、図６に示すように、凹形状のバネ受け部２６ａと、バネ受け部２６ａを挟んだ位置で第１及び第３タンブラ収納室２１，２３に連通する一対の脚部通過孔２６ｂ、２６ｃとが形成されている。そして、第１サイドバー１８は、バネ受け部２６ａに載せたサイドバー用圧縮バネ２０に連結部１８ｄの内面を接触させた状態で、一対の脚部１８ｂ，１８ｃが一対の脚部通過孔２６ｂ、２６ｃに挿入されている。
【００１６】
第２サイドバー１９も、図２に示すように、一対の脚部１９ｂ，１９ｃと、これら一対の脚部１９ｂ，１９ｃを連結する連結部１９ｄと、を備えたコ字形状であり、連結部１９ｄの外側に、前述した係合凸条１９ａが形成されている。
第２サイドバー収納室２７も、第１サイドバー収納室２６と同一形状である。第２サイドバー１９は、第２サイドバー収納室２７のバネ受け部（不図示）に載せたサイドバー用圧縮バネ２０に連結部１９ｄの内面を接触させる。そして、一対の脚部１９ｂ，１９ｃが第２サイドバー収納室２７の第２及び第４タンブラ収納室２２，２４に連通する一対の脚部通過孔（不図示）に挿入されている。
【００１７】
図７（ａ）は、リバーシブル仕様のディンプルキー３の第１面３ａを示し、図７（ｂ）は、第１面３ａの裏面であるディンプルキー３の第２面３ｂを示すものである。第１面３ａ及び第２面３ｂには、大径凹部４０と、小径凹部４１とがそれぞれ複数形成されている。小径凹部４１の深さは、大径凹部４０のほぼ半分の深さに形成されている。
ディンプルキー３は、大径凹部４０と、小径凹部４１と、凹部が形成されていない平面部４２との３つの組み合わせにより、キーコードが構成されている。
ディンプルキー３の第１面３ａ及び第２面３ｂにおいて、大径凹部４０及び小径凹部４１は、それぞれの中心がディンプルキー３の長さ方向に延びる第１直線Ｌ１上及び第２直線Ｌ２上の一方に位置するように形成されている。第１直線Ｌ１は、第１面３ａ及び第２面３ｂにおいて上側に位置し、第２直線Ｌ２は、第１面３ａ及び第２面３ｂにおいて下側に位置している。
【００１８】
第１面３ａの第１直線Ｌ１上に４個の大径凹部４０が形成されており、第２直線Ｌ２上には、第１直線Ｌ１上の先端から２番目の大径凹部４０と長さ方向で同一位置に小径凹部４１が形成され、第１直線Ｌ１上の先端から４番目の大径凹部４０と長さ方向で同一位置に小径凹部４１が形成されている。
第１面３ａの第１直線Ｌ１に対応する第２面３ｂの上側には、第１面３ａの第２直線Ｌ２上に形成した２個の小径凹部４１と長さ方向で同一位置に２個の小径凹部４１が形成されている。また、第１面３ａの第２直線Ｌ２に対応する第２面３ｂの下側には、第１面３ａの第１直線Ｌ１上に形成した４個の大径凹部４０と長さ方向で同一位置に４個の大径凹部４０が形成されている。
このように、第１実施形態のディンプルキー３は、中心軸回りに１８０°回転してキー差込み孔７に差し込んだときに、第１直線Ｌ１及び第２直線Ｌ２に同一配列で大径凹部４０及び小径凹部４１が位置しているリバーシブル仕様のディンプルキーとして形成されている。
【００１９】
図５に示すように、第１タンブラ収納室２１に収納されている第１板タンブラ１０は、キー差込み孔７で突出する内側の端面に、第１小径凸部４５が突出して形成されており、第１小径凸部４５に対して軸Ｐ１方向に離間した位置に第１平坦部４６が形成されている。
また、第１板タンブラ１０の外側の端面には凹形状のバネ受け部４７が形成されており、第１板タンブラ１０の軸Ｐ１方向の両側部を切り欠くことで、第１サイドバー１８の脚部１８ｂの先端が挿入可能な脚部挿入凹部４８，４８が形成されている。
【００２０】
第２タンブラ収納室２２に収納されている第２板タンブラ１１は、キー差込み孔７で突出する内側の端面に、第２小径凸部５０が突出して形成されており、第２小径凸部５０に対して軸Ｐ１方向に離間した位置に第２平坦部５１が形成されている。
第３タンブラ収納室２３に収納されている第３板タンブラ１２は、キー差込み孔７で突出する内側の端面に、第１大径凸部５２が突出して形成されており、第１大径凸部５２に対して軸Ｐ１方向に離間した位置に第２大径凸部５３が形成されている。
第４タンブラ収納室２４に収納されている第４板タンブラ１３は、キー差込み孔７で突出する内側の端面に、第３大径凸部５４が突出して形成されており、第１大径凸部５２に対して軸Ｐ１方向に離間した位置に第４大径凸部５５が形成されている。
【００２１】
そして、第２〜第４板タンブラ１１〜１３には、第１板タンブラ１０と同一構造で、外側の端面には凹形状のバネ受け部４７が形成されている。
また、第２板タンブラ１１の軸Ｐ１方向の両側部を切り欠くことで、第２サイドバー１９の脚部１９ｂの先端が挿入可能な脚部挿入凹部４８，４８が形成されている。また、第３板タンブラ１２の軸Ｐ１方向の両側部も切り欠くことで、第１サイドバー１８の脚部１８ｃの先端が挿入可能な脚部挿入凹部４８，４８が形成されている。
さらに、第４板タンブラ１３の軸Ｐ１方向の両側部も切り欠くことで、第２サイドバー１９の脚部１９ｃの先端が挿入可能な脚部挿入凹部４８，４８が形成されている。
そして、第１〜第４タンブラ収納室２１〜２４に収納された第１〜第４板タンブラ１０〜１３は、バネ受け部４７に一端を載せたタンブラ用圧縮バネ１５の他端をバネ保持部材１６が受けた状態でローターケース５の内部に装着される。
【００２２】
ここで、本発明に記載した軸がローター６の軸Ｐ１に対応し、本発明に記載したキーコード面が第１面３ａ及び第２面３ｂに対応し、本発明に記載した解錠凹部が大径凹部４０、小径凹部４１に対応し、本発明に記載した解錠凸部が第１小径凸部４５、第２小径凸部５０、第１〜第４大径凸部５２〜５５に対応し、本発明に記載した解錠平坦部が第１平坦部４６、第２平坦部５１に対応し、本発明に記載した板状タンブラが第１〜第４板タンブラ１０〜１３に対応し、本発明に記載したキーコード面の表面及び裏面が第１面３ａ及び第２面３ｂに対応し、本発明に記載したバネ部材がタンブラ用圧縮バネ１５に対応し、本発明に記載したバネ保持部材がバネ保持部材１６に対応し、本発明に記載した係合凹部が第２係合溝条５ｂに対応し、本発明に記載した係合凸部が係合凸条１８ａ，１９ａに対応し、本発明に記載した被通過部が脚部挿入凹部４８に対応し、本発明に記載した通過部が脚部１８ｂ，１８ｃ，１９ｂ，１９ｃに対応している。
【００２３】
［第１実施形態のシリンダー錠の操作］
次に、上記構成の第１実施形態のシリンダー錠１の操作について説明する。
図５に示すように、シリンダー本体２のキー差込み孔７にディンプルキー３を差し込むと、ローター６の第１軸直交方向Ｘ１にディンプルキー３の第１直線Ｌ１（図７参照）が一致する。
図５に示すように、タンブラ用圧縮バネ１５のバネ力に押された第１板タンブラ１０の第１小径凸部４５がディンプルキー３の第１面３ａの右側の小径凹部４１に入り込み、第１板タンブラ１０の第１平坦部４６が第１面３ａの平面部４２に当接する。また、タンブラ用圧縮バネ１５のバネ力に押された第２板タンブラ１１の第２小径凸部５０がディンプルキー３の第１面３ａの左側の小径凹部４１に入り込み、第２板タンブラ１１の第２平坦部５１が第１面３ａの平面部４２に当接する。
【００２４】
また、タンブラ用圧縮バネ１５のバネ力に押された第３板タンブラ１２の第１大径凸部５２及び第２大径凸部５３と、第４板タンブラ１３の第３大径凸部５４及び第４大径凸部５５とが、ディンプルキー３の第２面３ｂの４個の大径凹部４０に入り込む。
そして、図５に示すように、ディンプルキー３の大径凹部４０及び小径凹部４１の内部に、第１小径凸部４５、第２小径凸部５０、第１〜第４大径凸部５３〜５５が入り込むことで、第１〜第４板タンブラ１０〜１３がキー差込み孔７側に移動する。これにより、図６に示すように、第１板タンブラ１０及び第３板タンブラ１２の脚部挿入凹部４８に第１サイドバー１８の脚部１８ｂ，１８ｃが対向する。また、図示しないが、第２板タンブラ１１及び第４板タンブラ１３の脚部挿入凹部４８に第２サイドバー１９の脚部１９ｂ，１９ｃが対向する。
【００２５】
キー差込み孔７にディンプルキー３を差し込んだときには、図６に示すように、ローターケース５の第２係合溝条５ｂに、第１サイドバー１８及び第２サイドバー１９の係合凸条１８ａ，１９ａが入り込んでいる。
この状態でディンプルキー３を回すと、第１〜第４板タンブラ１０〜１３の脚部挿入凹部４８に第１サイドバー１８及び第２サイドバー１９の脚部１８ｂ，１８ｃ及び脚部１９ｂ，１９ｃが入り込み、第２係合溝条５ｂから係合凸条１８ａ，１９ａが出ることでローター６がローターケース５に対して回動自在となり、シリンダー錠１の解錠操作を行うことができる。
【００２６】
また、第１実施形態のシリンダー錠１はリバーシブル仕様とされているので、シリンダー本体２のキー差込み孔７にディンプルキー３を逆転して差し込むと、ローター６の第１軸直交方向Ｘ１にディンプルキー３の第２直線Ｌ２（図７参照）が一致し、図５及び図６で示した状態となる。これにより、ディンプルキー３を回すと、第１〜第４板タンブラ１０〜１３の脚部挿入凹部４８に第１サイドバー１８及び第２サイドバー１９の脚部１８ｂ，１８ｃ及び脚部１９ｂ，１９ｃが入り込み、第２係合溝条５ｂから係合凸条１８ａ，１９ａが出ることでローター６がローターケース５に対して回動自在となる。
【００２７】
一方、ディンプルキー３がキー差込み孔７に差し込まれていない状態や、ディンプルキー３と鍵違いのキーが差し込まれた状態では、第１板タンブラ１０及び第３板タンブラ１２の脚部挿入凹部４８に第１サイドバー１８の脚部１８ｂ，１８ｃが対向せず、第２板タンブラ１１及び第４板タンブラ１３の脚部挿入凹部４８にも、第２サイドバー１９の脚部１９ｂ，１９ｃが対向しない。これにより、ローターケース５の第２係合溝条５ｂに第１サイドバー１８及び第２サイドバー１９の係合凸条１８ａ，１９ａが係合した状態が保持さるので、ローター６はローターケース５に対して回動不能になる。
【００２８】
［第１実施形態のシリンダー錠の効果］
次に、第１実施形態のシリンダー錠１の効果について説明する。
従来のピン形状のタンブラを使用すると、ディンプルキー３の第１面３ａの２個の小径凹部４１、第１平坦部４６、第２平坦部５１及び第２面３ｂの４個の大径凹部４０に対応した８個のピン形状のタンブラが必要である。また、各ピン形状のタンブラにバネ力を与えるバネ部材も同数必要である。
これに対して、第１実施形態は、４個の板タンブラ（第１板タンブラ１０〜第４板タンブラ１３）で構成されているので、部品点数を削減することができるとともに、タンブラ用圧縮バネ１５及びバネ保持部材１６の部品点数も削減することができる。
【００２９】
また、第１〜第４板タンブラ１０〜１３は、ディンプルキー３の通過孔などを形成せず、キー差込み孔７側に位置する内側に、第１小径凸部４５、第１平坦部４６、第２平坦部５１及び第１大径凸部５２〜第４大径凸部５５を形成しただけの単純な形状である。したがって、第１板タンブラ１０〜第４板タンブラ１３の製造コストの低減化を図ることができる。
また、シリンダー錠１を解錠する構造は、第１サイドバー１８及び第２サイドバー１９の脚部１８ｂ，１８ｃ、１９ｂ，１９ｃが第１〜第４板タンブラ１０〜１３の脚部挿入凹部４８に入り込む構造である。すなわち、脚部１８ｂ，１８ｃ、１９ｂ，１９ｃが脚部挿入凹部４８に入り込むことで、第１サイドバー１８及び第２サイドバー１９がキー差込み孔７側に移動する。そして、第１サイドバー１８及び第２サイドバー１９の係合凸条１８ａ，１９ａがローターケース５の第２係合溝条５ｂから出ることで、ローター６がローターケース５に対して回動自在となり、ディンプルキー３の回転により解錠できる。
したがって、第１〜第４板タンブラ１０〜１３の縁部を切り欠いて脚部挿入凹部４８を形成し、第１サイドバー１８及び第２サイドバー１９の脚部１８ｂ，１８ｃ、１９ｂ，１９ｃに係合可能とする簡便な構造で、シリンダー錠１を形成することができる。
【００３０】
［第２実施形態のシリンダー錠］
次に、図８から図１０は、第２実施形態のシリンダー錠６０を示すものである。
第２実施形態のシリンダー錠６０もリバーシブル仕様であり、第１実施形態のシリンダー錠１と同一構成部分には、同一符号を付して説明は省略する。
図８に示すように、第２実施形態のシリンダー錠６０を構成するローター６１は、円柱形状の部材であり、軸方向（軸Ｐ１方向）の一端面６１ａに長方形状で開口しているキー差込み孔７が形成されている。
【００３１】
図８及び図９に示すように、ローター６１の第１軸直交方向Ｘ１の一方の外周側には、キー差込み孔７に連通する第５タンブラ収納室６２が軸Ｐ１方向に沿って形成されている。また、ローター６１の第１軸直交方向Ｘ１の他方の外周側に、キー差込み孔７に連通する第６タンブラ収納室６３が軸Ｐ１方向に沿って形成されている。
図８及び図１０に示すように、ローター６１の第２軸直交方向Ｘ２の一方の外周側には、第５タンブラ収納室６２及び第６タンブラ収納室６３に連通する第３サイドバー収納室６４が軸Ｐ１方向に沿って形成されている。
【００３２】
第３サイドバー収納室６４には第３サイドバー６５が収納されている。
第３サイドバー収納室６４は、図１０に示すように、凹形状のバネ受け部６４ａと、バネ受け部６４ａを挟んだ位置で第５，第６タンブラ収納室６２，６３に連通する一対の脚部通過孔６４ｂ、６４ｃとが形成されている。
第３サイドバー６５は、図８に示すように、一対の脚部６５ｂ，６５ｃと、これら一対の脚部６５ｂ，６５ｃの上端部を連結する連結部６５ｄと、連結部６５ｄの外側で突出している係合凸条６５ａと、を備えている。
この第３サイドバー６５は、バネ受け部６４ａに載せたサイドバー用圧縮バネ２０に連結部６５ｄの内面を接触させた状態で、一対の脚部６５ｂ，６５ｃが一対の脚部通過孔６４ｂ、６４ｃに挿入されている。
【００３３】
図９に示すように、第５タンブラ収納室６２には第５板タンブラ６６が収納され、第６タンブラ収納室６３には第６板タンブラ６９が収納されている。
第５板タンブラ６６は、キー差込み孔７で突出する内側の端面に、Ｐ１方向に離間して第１小径凸部４５、第１平坦部４６、第２小径凸部５０及び第２平坦部５１の全てが形成されている。
この第５板タンブラ６６の外側の端面には凹形状のバネ受け部６７が形成されており、第５板タンブラ６６の軸Ｐ１方向の両側部を切り欠くことで、第３サイドバー６５の脚部６５ｂの先端が挿入可能な脚部挿入凹部６８，６８が形成されている。
【００３４】
第６板タンブラ６９は、キー差込み孔７で突出する内側の端面に、Ｐ１方向に離間して第１〜第４大径凸部５３〜５５の全てが形成されている。
この第６板タンブラ６９の外側の端面に凹形状のバネ受け部６７が形成されているとともに、第６板タンブラ６９の軸Ｐ１方向の両側部を切り欠くことで、第３サイドバー６５の脚部６５ｃの先端が挿入可能な脚部挿入凹部６８，６８が形成されている。
そして、第５〜第６タンブラ収納室６２，６３に収納された第５〜第６板タンブラ６６、６９は、バネ受け部６７に一端を載せたタンブラ用圧縮バネ１５の他端をバネ保持部材１６が受けた状態でローターケース５の内部に装着される。
ここで、本発明に記載した板状タンブラが第５，第６板タンブラ６６，６９に対応し、本発明に記載した係合凸部が係合凸条６５ａに対応し、本発明に記載した被通過部が脚部挿入凹部６８に対応し、本発明に記載した通過部が脚部６５ｂ，６５ｃに対応している。
【００３５】
［第２実施形態のシリンダー錠の操作］
次に、上記構成の第２実施形態のシリンダー錠６０の操作について説明する。
図９に示すように、ローター６１のキー差込み孔７にディンプルキー３を差し込むと、ローター６１の第１軸直交方向Ｘ１にディンプルキー３の第１直線Ｌ１が一致する。
図９に示すように、タンブラ用圧縮バネ１５のバネ力に押された第５板タンブラ６６の第１小径凸部４５がディンプルキー３の第１面３ａの右側の小径凹部４１に入り込み、第１平坦部４６が第１面３ａの平面部４２に当接し、第２小径凸部５０がディンプルキー３の第１面３ａの左側の小径凹部４１に入り込み、第２平坦部５１が第１面３ａの平面部４２に当接する。
【００３６】
また、タンブラ用圧縮バネ１５のバネ力に押された第６板タンブラ６９の第１大径凸部５２、第２大径凸部５３、第３大径凸部５４及び第４大径凸部５５が、ディンプルキー３の第２面３ｂの４個の大径凹部４０に入り込む。
そして、ディンプルキー３の大径凹部４０及び小径凹部４１の内部に、第１小径凸部４５、第２小径凸部５０、第１〜第４大径凸部５３〜５５が入り込むことで、第５，第６板タンブラ６６，６９がキー差込み孔７側に移動する。これにより、図１０に示すように、第５板タンブラ６６及び第６板タンブラ６９の脚部挿入凹部６８に、第３サイドバー６５の脚部６５ｂ，６５ｃが対向する。
【００３７】
そして、キー差込み孔７にディンプルキー３を差し込んだときには、図１０に示すように、ローターケース５の第２係合溝条５ｂに、第３サイドバー６５の係合凸条６５ａが入り込んでいる。
この状態でディンプルキー３を回すと、第５，第６板タンブラ６６，６９の脚部挿入凹部６８に第３サイドバー６５の脚部６５ｂ，６５ｃが入り込み、第２係合溝条５ｂから係合凸条６５ａが出ることでローター６１がローターケース５に対して回動自在となる。
第２実施形態のシリンダー錠１もリバーシブル仕様とされているので、ローター６１のキー差込み孔７にディンプルキー３を逆転して差し込むと、ローター６１の第１軸直交方向Ｘ１にディンプルキー３の第２直線Ｌ２が一致し、図９及び図１０で示したように第２係合溝条５ｂから係合凸条１８ａ，１９ａが出ることでローター６１がローターケース５に対して回動自在となり、シリンダー錠６０の解錠操作を行うことができる。
【００３８】
一方、ディンプルキー３がキー差込み孔７に差し込まれていない状態や、ディンプルキー３と鍵違いのキーが差し込まれた状態では、第５板タンブラ６６及び第６板タンブラ６９の脚部挿入凹部６８に第３サイドバー６５の脚部６５ｂ，６５ｃが対向しない。これにより、ローターケース５の第２係合溝条５ｂに第３サイドバー６５の係合凸条６５ａが係合した状態で保持されるので、ローター６１はローターケース５に対して回動不能になる。
【００３９】
［第２実施形態のシリンダー錠の効果］
次に、第２実施形態のシリンダー錠６０の効果について説明する。
第２実施形態のシリンダー錠６０は、ディンプルキー３の第１面３ａの２個の小径凹部４１、第１平坦部４６、第２平坦部５１と、第２面３ｂの４個の大径凹部４０に対応した２個の第５，第６板タンブラ６６，６９を使用するだけなので、第１実施形態よりさらに部品点数を削減することができるとともに、タンブラ用圧縮バネ１５及びバネ保持部材１６の部品点数も削減することができる。
また、第５，第６板タンブラ６６，６９は簡便な形状なので、製造コストの低減化を図ることができる。
【００４０】
なお、第１及び第２実施形態ではリバーシブル仕様のシリンダー錠とし、ディンプルキー３の第１面３ａ及び第２面３ｂに大径凹部４０及び小径凹部４１の何れかを形成したが、本発明の要旨はこれに限定されるものではなく、ディンプルキー３の第１面３ａのみに大径凹部４０及び小径凹部４１の何れかを形成した非リバーシブル仕様のシリンダー錠であってもよい。非リバーシブル仕様の場合には、ローター６（６１）のキー差込み孔７に連通するタンブラ収納室が第１軸直交方向の一方の端部側のみに形成すればよく、板タンブラの部品点数を削減することができるとともに、タンブラ用圧縮バネ１５及びバネ保持部材１６の部品点数も削減することができる。
【符号の説明】
【００４１】
１  シリンダー錠
２  シリンダー本体
３  ディンプルキー
３ａ  第１面
３ｂ  第２面
４  ユニット接続部
５  ローターケース
５ａ〜５ｄ  第１〜第４係合溝条
６  ローター
６ａ  一端面
７  キー差込み孔
１０〜１３  第１〜第４板タンブラ
１５  タンブラ用圧縮バネ
１６  バネ保持部材
１８  第１サイドバー
１８ａ，１９ａ  係合凸条
１８ｂ，１８ｃ，１９ｂ，１９ｃ  脚部
１８ｄ，１９ｄ  連結部
１９  第２サイドバー
２０  サイドバー用圧縮バネ
２１  第１タンブラ収納室
２２  第２タンブラ収納室
２３  第３タンブラ収納室
２４  第４タンブラ収納室
２６  第１サイドバー収納室
２６ａ  バネ受け部
２６ｂ，２６ｃ  脚部通過孔
２７  第２サイドバー収納室
４０  大径凹部
４１  小径凹部
４２  平面部
４５  第１小径凸部
４６  第１平坦部
４７  バネ受け部
４８  脚部挿入凹部
５０  第２小径凸部
５１  第２平坦部
５２  第１大径凸部
５３  第２大径凸部
５４  第３大径凸部
５５  第４大径凸部
６０  シリンダー錠
６１  ローター
６１ａ  一端面
６２  第５タンブラ収納室
６３  第６タンブラ収納室
６４  第３サイドバー収納室
６５  第３サイドバー
６５ａ  係合凸条
６５ｂ，６５ｃ  脚部
６５ｄ  連結部
６４ａ  バネ受け部
６４ｂ、６４ｃ  脚部通過孔
６６  第５板タンブラ
６７  バネ受け部
６８  脚部挿入凹部
６９  第６板タンブラ
Ｌ１  第１直線
Ｌ２  第２直線
Ｐ１  ローターの軸方向
Ｘ１  第１軸直交方向
Ｘ２  第２軸直交方向
【図１】
2019011562.tif 000003
【図２】
2019011562.tif 000004
【図３】
2019011562.tif 000005
【図４】
2019011562.tif 000006
【図５】
2019011562.tif 000007
【図６】
2019011562.tif 000008
【図７】
2019011562.tif 000009
【図８】
2019011562.tif 000010
【図９】
2019011562.tif 000011
【図１０】
2019011562.tif 000012